(57)【要約】【課題】保護対象物への不正アクセスの消去を防止し、外部からアクセス事実の記録を確認できる記録装置を実現すること。【解決手段】本発明にかかる記録装置１００は、破壊用ギア１０５と、この破壊用ギア１０５との咬合部を備えたプレート１０７とを備える。咬合部１０７ａには特有の光学特性を備えるフィルム１０６を固定する。そして、容器２の蓋１０１の開動に連動して破壊用ギア１０５が回転し、破壊用ギア１０５とプレート１０７との間にフィルム１０６を挟み込むことによって、フィルム１０６に凹凸を形成する。フィルム１０６に凹凸を形成することによって、容器２内部へのアクセス事実を記録する。【選択図】        図１
2005037840.tif 000002
【特許請求の範囲】
【請求項１】
保護対象物へのアクセスがあった場合に該アクセスのアクセス事実を記録する記録手段を有した記録装置において、
前記アクセス動作時または前記アクセス動作を可能にさせる動作時に、前記記録手段に再生不可能な物理的変化を与え、該物理的変化を前記アクセス事実の痕跡として前記記録手段に付与する痕跡付与手段を備えたことを特徴とする記録装置。
【請求項２】
前記記録手段上に付与された前記アクセス事実の痕跡を外部から視認する視認用窓を設けたことを特徴とする請求項１に記載の記録装置。
【請求項３】
前記痕跡付与手段は、前記アクセス動作時または前記アクセス動作を可能にさせる動作時に、前記記録手段に再生不可能な凹凸を形成することを特徴とする請求項１または２に記載の記録装置。
【請求項４】
前記痕跡付与手段は、前記保護対象物を包む箱の開閉蓋の開動作に連動して前記記録手段に再生不可能な物理的変化を与えることを特徴とする請求項１〜３のいずれか一つに記載の記録装置。
【請求項５】
前記痕跡付与手段は、ワンウェイクラッチ機構を用いて前記開動作のみに連動して前記記録手段に再生不可能な物理的変化を与えることを特徴とする請求項４に記載の記録装置。
【請求項６】
前記痕跡付与手段による再生不可能な物理的変化の付与時または付与後に、前記保護対象物へのアクセス動作を可能状態にし、該アクセス動作を許容するアクセス手段を備えたことを特徴とする請求項１〜５のいずれか一つに記載の記録装置。
【請求項７】
前記痕跡付与手段の動作を抑制する抑制手段を備え、前記痕跡付与手段は、前記抑制手段の抑制解除後に前記再生不可能な物理的変化の付与動作が可能状態になることを特徴とする請求項１〜６のいずれか一つに記載の記録装置。
【請求項８】
前記記録手段は、所定の識別機能を備えたフィルムであることを特徴とする請求項１〜７のいずれか一つに記載の記録装置。
【請求項９】
前記記録手段は、表面に複製困難な模様を印刷することによって形成されたフィルム、可視光領域以外の光を反射する特性を持つ材料で形成されたフィルム、ホログラムフィルム、または、これら一以上を組み合わせたフィルムであることを特徴とする請求項１〜８のいずれか一つに記載の記録装置。
【請求項１０】
前記記録手段は、コレステリック液晶フィルム、多層膜フィルム、またはこれらを組み合わせたフィルムであることを特徴とする請求項１〜９のいずれか一つに記載の記録装置。
【請求項１１】
前記記録手段は、非接触情報媒体であることを特徴とする請求項１〜７のいずれか一つに記載の記録装置。
【発明の詳細な説明】
【技術分野】
【０００１】
本発明は、保護対象物に対するアクセス事実を記録する記録装置に関し、特にアクセス事実を確実に記録し、外部からアクセス事実の記録を簡易に確認することができる記録装置に関するものである。
【背景技術】
【０００２】
従来、所定の状態に保持すべき物品に対して外部から変更が加えられることを防止または感知するために、物品の外面の適当な場所に貼付されるフィルムが知られている。
【０００３】
このフィルムは、物品の保持状態に何らかの変更を加えようとする場合に、このフィルムを剥離するまたは切断する等の過程を経ることなしには物品内部の変更の作業が不可能となるように容器などの外面にこれを貼付する。たとえば、図３６に示すように、容器５０２の蓋５０３の一部にフィルム５０６を貼付する。蓋５０３を開けるためには、フィルム５０６を剥離または切断しなければならない。このため、フィルム５０６の状態を視認し、フィルム５０６の剥離などの状態変化の有無を確認することによって、蓋５０２の開動作の有無を確認することができる。
【０００４】
そして、このフィルム５０６として、偽造防止のため、表面に微細な模様の印刷されているものや、特有の光学特性を備えたホログラムなどで加工されているもの等がある（特許文献１参照）。
【０００５】
【特許文献１】特開２０００−２１１３００号公報
【発明の開示】
【発明が解決しようとする課題】
【０００６】
しかしながら、このフィルム５０６は、不正に再利用されることや、蓋５０３の不正な開動作の痕跡を消去されることがある。たとえば、きわめて薄い鋭利な刃物等により、巧妙にフィルム５０６を切断した後に継ぎ合わせた場合には、それを人間の目で視認することは困難である。このため、フィルム５０６の状態変化の見落としが生じ易いという問題がある。
【０００７】
また、フィルム５０６を物品に貼着するための接着材を、溶剤等を使用して溶解しフィルム５０６を剥離する場合もある。この場合、蓋５０３を開けた後に、再度フィルム５０６を貼付することができる。このように、剥離したフィルム５０６が元通り貼り付けられた場合、外観では不正が行われたことを見破ることができないという問題があった。また、剥離したフィルム５０６を他の物品に転用したりすることができるという問題もあった。
【０００８】
本発明は、上記に鑑みてなされたものであって、所定の状態に保持すべき物品に対するアクセス事実を確実に記録し、その記録の有無を簡易に確認することができる記録装置を提供することを目的とする。
【課題を解決するための手段】
【０００９】
上述した課題を解決し、目的を達成するために、請求項１にかかる記録装置は、保護対象物へのアクセスがあった場合に該アクセスのアクセス事実を記録する記録手段を有した記録装置において、前記アクセス動作時または前記アクセス動作を可能にさせる動作時に、前記記録手段に再生不可能な物理的変化を与え、該物理的変化を前記アクセス事実の痕跡として前記記録手段に付与する痕跡付与手段を備えたことを特徴とする。
【００１０】
本発明にかかる記録装置によれば、アクセス動作時またはアクセス動作を可能とさせる動作時に、記録手段にアクセス事実の痕跡として再生不可能な物理的変化を与える痕跡付与手段を備えることによって、アクセス事実を確実に記録手段に記録することができる。
【００１１】
請求項２にかかる記録装置は、前記記録手段上に付与された前記アクセス事実の痕跡を外部から視認する視認用窓を設けたことを特徴とする。
【００１２】
請求項３にかかる記録装置は、前記痕跡付与手段は、前記アクセス動作時または前記アクセス動作を可能にさせる動作時に、前記記録手段に再生不可能な凹凸を形成することを特徴とする。
【００１３】
請求項４にかかる記録装置は、前記痕跡付与手段は、前記保護対象物を包む箱の開閉蓋の開動作に連動して前記記録手段に再生不可能な物理的変化を与えることを特徴とする。
【００１４】
請求項５にかかる記録装置は、前記痕跡付与手段は、ワンウェイクラッチ機構を用いて前記開動作のみに連動して前記記録手段に再生不可能な物理的変化を与えることを特徴とする。
【００１５】
請求項６にかかる記録装置は、前記痕跡付与手段による再生不可能な物理的変化の付与時または付与後に、前記保護対象物へのアクセス動作を可能状態にし、該アクセス動作を許容するアクセス手段を備えたことを特徴とする。
【００１６】
請求項７にかかる記録装置は、前記痕跡付与手段の動作を抑制する抑制手段を備え、前記痕跡付与手段は、前記抑制手段の抑制解除後に前記再生不可能な物理的変化の付与動作が可能状態になることを特徴とする。
【００１７】
請求項８にかかる記録装置は、前記記録手段は、所定の識別機能を備えたフィルムであることを特徴とする。
【００１８】
請求項９にかかる記録装置は、前記記録手段は、表面に複製困難な模様を印刷することによって形成されたフィルム、可視光領域以外の光を反射する特性を持つ材料で形成されたフィルム、ホログラムフィルム、または、これら一以上を組み合わせたフィルムであることを特徴とする。
【００１９】
請求項１０にかかる記録装置は、前記記録手段は、コレステリック液晶フィルム、多層膜フィルム、またはこれらの組み合わせたフィルムであることを特徴とする。
【００２０】
請求項１１にかかる記録装置は、前記記録手段は、非接触情報媒体であることを特徴とする。
【発明の効果】
【００２１】
本発明にかかる記録装置は、記録手段にアクセス事実の痕跡として再生不可能な物理的変化を与える痕跡付与手段を備えることによって、アクセス事実を確実に記録し、不正アクセスの痕跡の消去や記録手段の再利用を防止することができる。また、外部からこの記録を簡便に確認することができる。
【発明を実施するための最良の形態】
【００２２】
以下に、本発明にかかる記録装置の実施の形態を図面に基づいて詳細に説明する。なお、この実施の形態によりこの発明が限定されるものではない。また、図面の記載において、同一部分には同一の符号を付している。
【００２３】
（実施の形態１）
まず、この発明の実施の形態１について説明する。本実施の形態１にかかる記録装置は、ギアとプレートとフィルムとを備え、保護対象物を包む容器の開閉蓋の開動作に連動してギアとプレートとが再生不可能な物理的変化をフィルムに付与することによって、アクセス事実を記録する。また、この記録装置は、記録の有無を外部から確認することが可能である。
【００２４】
図１は、実施の形態１にかかる記録装置１００を容器２に配置した状態を示す斜視図である。容器２は保護対象物を包んでおり、保護対象物へは蓋１０１を開けた後に取り出し口３からアクセスすることができる。また、図１に示すように、記録装置１００は、蓋１０１と、駆動用ギア１０４ａと、ギア１０４ｂ，１０４ｃ，１０４ｄと、破壊用ギア１０５と、フィルム１０６を所定位置に配置したプレート１０７とを備える。また、蓋１０１は視認用窓１０８を備える。ここで、プレート１０７は、蓋１０１の閉動作前に、容器２の取り出し口３が位置する面に配置する。そして、フィルム１０６は保護対象物へのアクセス事実を記録する記録手段として機能し、破壊用ギア１０５とプレート１０７とはアクセス事実の痕跡として容器２へのアクセス可能時にフィルム１０６に再生不可能な物理的変化を与える痕跡付与手段として機能する。
【００２５】
蓋１０１は、一部が容器２に繋ぎ止められている。駆動用ギア１０４ａは蓋１０１の開閉に連動して回転する。ギア１０４ｂは駆動用ギア１０４ａと噛み合い、ギア１０４ｃはギア１０４ｂと噛み合う。そして、ギア１０４ｄはギア１０４ｃと同一の回転軸に備えられている。この回転軸とギア１０４ｄとの間はワンウェイクラッチ機構を有し、ギア１０４ｄは一方向のみに回転する。ギア１０４ｄは本実施の形態では蓋１０１の開動作の際に右回りにのみ回転する。さらに、破壊用ギア１０５は、ギア１０４ｄと噛み合う。ここで、ギア１０４ｄは右回りのみに回転するため、破壊用ギア１０５は蓋１０１の開動作の際にギア１０４ｄと逆方向の左回りのみに回転する。そして、プレート１０７は、後述するように、破壊用ギア１０５との咬合部を備えており、咬合部上の所定位置にフィルム１０６を固定している。フィルム１０６は、特有の反射特性および回折特性を有し見る角度によって色が異なるホログラムを備えている。このフィルム１０６は、表面が平坦であるときには記録装置１００に対応した特有の模様を視認できるが、プレート１０７を記録装置１００に配置した後に形成された凹凸があるときには、フィルム１０６にこの凹凸が形成されていることが視認できるという特性を有する。そして、視認用窓１０８は、蓋１０１を閉じた状態であるときにフィルム１０６の状態を確認できるように、フィルム１０６の当初位置の上方に位置する。また、視認用窓１０８は、フィルム１０６を視認できるよう、たとえば、透明な材質で構成される。なお、駆動用ギア１０４ａ、ギア１０４ｂ〜１０４ｄ、破壊用ギア１０５の中心には、所定の箇所に固定された回転軸があるが、図中では省略している。
【００２６】
つぎに、記録装置１００の要部とその動作について説明する。図２は、記録装置１００の要部の平面図である。図２に示すように、プレート１０７は、破壊用ギア１０５の歯と噛み合う咬合部１０７ａを備える。この咬合部１０７ａ上にフィルム１０６を固定する。そして、咬合部１０７ａの一部が破壊用ギア１０５の歯と噛み合うようプレート１０７を容器２上に配置して蓋１０１を閉じる。このとき、駆動用ギア１０４ａ、ギア１０４ｂ，１０４ｃは蓋１０１の閉動作に連動して回転するが、ギア１０４ｄは回転せず、破壊用ギア１０５も回転しない。このため、破壊用ギア１０５と噛み合うプレート１０７は移動せず、フィルム１０６と破壊用ギア１０５とは接触しない。また、フィルム１０６の状態は、視認用窓１０８を介して視認することができる。この場合、フィルム１０６には、何ら物理的変化が与えられていないため所定の模様が認められる。
【００２７】
つぎに、図３〜図５を用いて、蓋１０１を開けた際の記録装置１００の要部の動作を説明する。図３は、記録装置１００の要部の右側面図である。また、図４および図５は、蓋１０１の開動作の際の記録装置１００の要部の動作を示す平面図である。
【００２８】
図３および図４に示すように、駆動用ギア１０４ａは、蓋１０１を開ける動作に連動して右回りに回転する。駆動用ギア１０４ａと噛み合うギア１０４ｂは、駆動用ギア１０４ａの回転に応じて左回りに回転し、これにともない１０４ｃは右回りに回転する。このとき、図４に示すように、ギア１０４ｃと同一軸に備わるギア１０４ｄは、右回りにのみ回転するため、軸の回転とともに右回りに回転する。そして、ギア１０４ｄと咬合する破壊用ギア１０５が左回りに回転する。ここで、破壊用ギア１０５の歯とプレート１０７の咬合部１０７ａとは、一部が噛み合った状態にある。このため、破壊用ギア１０５が左回りに回転すると咬合部１０７ａと破壊用ギア１０５の歯とが次々に噛み合い、プレート１０７は、図４に示すように左から右へ移動する。このとき、咬合部１０７ａ上に固定されるフィルム１０６は、破壊用ギア１０５とプレート１０７の咬合部１０７ａとの間に徐々に挟みこまれていく。
【００２９】
そして、図５に示すように、破壊用ギア１０５の回転とともにプレート１０７は破壊用ギア１０５の右側に移動する。また、プレート１０７上に固定されるフィルム１０６には、破壊用ギア１０５と咬合部１０７ａとに挟み込まれて凹凸が形成される。この凹凸は目視で確認することが可能である。さらに、この凹凸を回復してフィルム１０６を平坦にすることは困難であると考えられる。このように、記録装置１００は、蓋１０１の開動作に連動して破壊用ギア１０５とプレート１０７とがフィルムに再生不可能な凹凸を形成し、容器２内部への接触可能とさせる動作があった旨を記録する。
【００３０】
そして、図６に示すように、記録装置１００は、蓋１０１を閉めた状態で外部から視認用窓１０８を介してこのフィルム１０６の状態を視認することができる。フィルム１０６に破壊用ギア１０５とプレート１０７とによって凹凸が形成されていない場合には、蓋１０１の開動作が行われていない。すなわち、取り出し口３への接触がなかったことが認められる。しかし、フィルム１０６に破壊用ギア１０５とプレート１０７とによって凹凸が形成されていることが視認できた場合には、少なくとも一度蓋１０１の開動作を行い、再度プレート１０７を所定の位置に配置したものと認められる。また、フィルム１０６自体が認められなかった場合は、少なくとも一度蓋１０１の開動作を行い、プレート１０７を破壊用ギア１０５の右側に移動させ放置した状態であると考えられる。このように、蓋１０１の開動作をともなうことなく、容器２内部へのアクセス事実の記録の有無を外部から簡易に確認することができる。
【００３１】
そして、次に記録を行う場合には、破壊用ギア１０５とプレート１０７とによって凹凸が形成されたフィルム１０６を新たなフィルム１０６に交換し、容器２の所定位置にプレート１０７を配置して蓋１０１を閉じればよい。あるいは、新たなフィルム１０６を固定したプレート１０７自体を交換してもよい。
【００３２】
このように、記録装置１００は、蓋１０１を開ける動作に連動して破壊用ギア１０５とプレート１０７とがフィルム１０６に凹凸を形成し、容器２へのアクセス事実を記録している。蓋１０１の開動作があった場合には、必ず破壊用ギア１０５とプレート１０７とによってフィルム１０６に凹凸が形成されるため、確実にアクセス事実を記録することが可能である。したがって、取り出し口３への不正接触の記録の消去を防止することができる。
【００３３】
また、破壊用ギア１０５とプレート１０７とによってフィルム１０６に形成された凹凸を回復することは困難であると考えられる。このように、フィルム１０６に再生不可能な物理的変化が付与されるため、このフィルム１０６を蓋１０１の開動作の後に再度不正に利用することもできない。したがって、記録装置１００では、フィルム１０６を不正に再利用されることを防止することができる。
【００３４】
また、このフィルム１０６は、表面が平坦であるときにはこの記録装置１００に特有の模様を有しているが、プレート１０７を記録装置１００に配置した後に形成された凹凸があるときにはフィルム１０６にこの凹凸が形成されていることが視認できる。このため、破壊用ギア１０５とプレート１０７とが形成する凹凸の有無を目視で明瞭に確認でき、フィルム１０６の状態変化の見落としを低減することが可能となる。また、記録装置１００は、蓋１０１を閉じた状態で、視認用窓１０８を介してフィルム１０６の状態を確認する。したがって、記録装置１００は、外部からアクセス事実の有無を視認することができる。
【００３５】
また、フィルム１０６は、特有の反射特性および回折特性を有し見る角度によって色が異なるホログラムを表面に備えている。そして、記録装置１００に対応した特有の模様を備えている。このようにフィルム１０６は、記録装置１００と他の装置との識別を可能とする等の識別機能を備える。したがって、フィルム１０６は特有の特性と特有の模様を有するため、フィルム１０６の偽造は困難である。このため、フィルム１０６の偽造品を用いることによる取り出し口３への不正接触の記録の消去を防止することができる。
【００３６】
また、記録装置１００は、フィルム１０６を破壊用ギア１０５とプレート１０７との間に挟み込みフィルム１０６に凹凸を形成するに留まる。すなわち、記録装置１００は、フィルム１０６の切断等を行っていない。このため、記録後にフィルム１０６の断片が放置されることもなく、記録装置１００の保守を簡易に行うことができる。
【００３７】
なお、記録装置１００では、破壊用ギア１０５とプレート１０７とがフィルム１０６に凹凸を形成するとして説明したが、これに限らず、フィルム１０６に穴を開けるとしてもよい。この場合、破壊用ギア１０５とプレート１０７に限らず、フィルム１０６に対して穴を押し抜く複数の突起を備えた雄型と、その突起に対応する複数の押し抜き穴を備えフィルム１０６を押し抜き穴上に固定する雌型とを有する穴開け器具でもよい。そして、穴開け器具は、雄型または雌型の少なくとも一方が移動することによって、雄型の突起が雌型の押し抜き穴にはまり、押し抜き穴上に固定されたフィルム１０６に対して穴を押し抜く。また、雄型の突起に刃を設けてもよい。また、雄型に突起を設ける代わりに刃を設け、フィルム１０６を裁断するとしてもよい。また、フィルム１０６を裁断する代わりに、フィルム１０６にスリットを入れるとしてもよい。この場合、雌型には、穴のない構造としてもよい。また、雌型に雄型の刃に対応した噛みあわせを設けて、フィルム１０６を細かく切りきざむとしてもよい。いずれの場合も、フィルム１０６に対して、再生不可能な物理的変化を付与することが可能である。
【００３８】
また、フィルム１０６にレーザー光を照射して、穴を開けるとしてもよい。あるいは、レーザー光を照射して、フィルム１０６の表面を炭化させるとしてもよい。いずれも、フィルム１０６を元の状態に再生することは困難となるためである。この場合、破壊用ギア１０５またはプレート１０７は歯や咬合部を備える必要はない。ただし、破壊用ギア１０５またはプレート１０７のいずれか一方は蓋１０１の開動作に連動してフィルム１０６にレーザー光を照射する機能を備える必要がある。
【００３９】
また、破壊用ギア１０５とプレート１０７とによってフィルム１０６に凹凸を形成するほか、フィルム１０６に熱を加え、フィルム１０６を変形または変質させるとしてもよい。フィルム１０６に熱を加えると、フィルム１０６は変形し、元の形状に再生することは困難であるためである。また、フィルム１０６に熱を加えると、フィルム１０６に備わる光学特性が失われ、フィルム１０６の光学特性を回復することが不可能となるためである。このとき、破壊用ギア１０５およびプレート１０７は歯や咬合部を備える必要はない。ただし、破壊用ギア１０５またはプレート１０７のいずれか一方は、蓋１０１の開動作に連動してフィルム１０６に熱を加える加熱機能を備える必要がある。
【００４０】
また、記録装置１００では、特有の反射特性および回折特性を有したホログラムを表面に備え特有の模様を有しているフィルム１０６を使用した場合について説明したが、これに限らず、さらに偏光特性を備えたフィルムを用いてもよい。このようなフィルムは、目視ではフィルム１０６と同様に見る角度によって色が異なり特有の模様を判別することができる。そして、特有の偏光特性をさらに備えるため、所定の偏光フィルタを介してフィルムを視認した場合、この模様が見えなくなるという特性を有する。このため、このフィルムを用いた場合には、所定の偏光フィルタを介して真偽を判別することができるため、さらに偽造が困難となり、記録装置１００の記録結果の信頼性が向上する。なお、これらのフィルムはコレステリック液晶を材料として形成したコレステリック液晶フィルムであってもよく、多層膜構造を備えた多層膜フィルムとしてもよく、または、これらを組み合わせたフィルムとしてもよい。
【００４１】
また、上述した特有の光学特性を備えたフィルムに限らず、表面に特殊な押印を施したフィルムを用いてもよい。また、表面に複製困難な模様を印刷することによって形成されたフィルムを用いてもよい。また、可視光以外の波長の光を反射する特性を持つ材料で形成されたフィルムを用いてもよい。または、これら一以上を組み合わせたフィルムとしてもよい。このようなフィルムにおいても、所定の識別機能を備え、さらに偽造品の製造が困難となるためである。
【００４２】
また、図７に示すように、フィルム１０６に限らず、ＩＣチップとアンテナとを内蔵する非接触型の情報媒体１１６を用いてもよい。この場合、蓋の開動作を行った場合、駆動用ギア１０４ａ、ギア１０４ｂ〜１０４ｄ、破壊用ギア１０５が回転する。そして、情報媒体１１６は、破壊用ギア１０５とプレート１０７とに挟まれ配線を断線され動作不能となることによって容器２内部へのアクセス事実を記録する。
【００４３】
そして、情報媒体１１６の状態の確認は、図８に示すように、外部からリーダライタ１１８を用いて行う。リーダライタ１１８と情報媒体１１６との間で通信を正常に行うことができた場合には蓋１１１の開動作は行われていない。しかし、リーダライタ１１８と情報媒体１１６との間で通信を行うことができなかった場合には、情報媒体１１６は動作不能であると考えられ、少なくとも一度蓋１１１の開動作の行われたことを確認することができる。このように情報媒体１１６を使用した場合、所定のリーダライタ１１８を用いて外部から記録の確認を行うことができ、蓋１１１の開動作の有無の確認を短時間で確実に行うことができる。また、蓋１１１には視認用窓１０８を設ける必要がないため、記録装置を簡易に構成することができる。さらに、情報媒体１１６には個別番号や暗号データ等のデータを格納することができる。このため、複数の保護対象物に対しても円滑な管理を行うことができ、また、情報媒体１１６の偽造品の製造防止を図ることも可能となる。
【００４４】
また、記録装置１００に限らず、図９に示すように、容器２の側面にプレート１０７を固定する記録装置１２０としてもよい。図９は、実施の形態１の他の例である記録装置１２０の要部と容器２との斜視図である。蓋１２１は容器２に固定されておらず、蓋１２１を上方に持ち上げて容器２の内部に接触する。そして、プレート１０７は容器２の側面に固定されている。また、ギア１２５は、支柱１２９によって蓋１２１に接続される。また、図９に示すように、蓋１２１が容器２を覆っている場合には、ギア１２５とプレート１０７の咬合部１０７ａの一部とは噛み合った状態にある。また、蓋１２１には、容器２を覆った場合にフィルム１０６を視認することができる視認用窓１０８を側面に備える。
【００４５】
つぎに、図１０に、記録装置１２０の要部の動作を説明するための図を示す。図１０に示すように、支柱１２９は水平状態から下方には動かない。ただし、支柱１２９は、水平状態から所定の傾きをもって上方へ動く。容器２を蓋１２１で上から覆う閉動作を行う場合には、支柱１２９が上方へ揺れてギア１２５とプレート１０７との間に隙間が生じ、ギア１２５とフィルム１０６とは接触することはない。また、隙間が生じない場合でも、ギア１２５とプレート１０７とは摩擦が少ない状態で接触するに留まる。このため、ギア１２５は、プレート１０７上のフィルム１０６の形状を変化させることなく下方に移動する。
【００４６】
蓋１２１の移動が終了すると、支柱１２９は傾いていた状態から水平状態になる。そして、ギア１２５は支柱の動きにともなって図１０に示すように移動し、ギア１２５の歯はプレート１０７の咬合部１０７ａの一部と噛み合う。つぎに、蓋１２１を上へ開ける場合、ギア１２５は水平状態を保ったまま回転し、上方へ移動する。このとき、ギア１２５はプレート１０７の咬合部１０７ａと次々に噛み合いながら移動する。また、ギア１２５の上方への移動にともない、ギア１２５と咬合部１０７ａとはフィルム１０６を挟み込みフィルム１０６に凹凸を形成する。このように、プレート１０７を容器２の側面に固定した記録装置１２０とした場合も、蓋１２１の開動作に連動してフィルム１０６にアクセス事実を記録することが可能である。また、視認窓１０８を介して記録の有無を簡便に視認することが可能である。
【００４７】
（実施の形態２）
つぎに、この発明の実施の形態２について説明する。上述した実施の形態１では、容器を覆う蓋の開動作に連動してフィルムに破壊用ギアとプレートとが凹凸を形成する記録装置について説明したが、この実施の形態２では、保護対象部の開閉部に設けられる封じ目として機能する貫通孔間に通される吊部を備えた記録装置について説明する。
【００４８】
まず、図１１と図１２を用いて、実施の形態２にかかる記録装置の構造について説明する。図１１は、実施の形態２にかかる記録装置の正面図である。そして、図１２は、図１１に示す記録装置のＡＡ断面図である。図１１に示すように、実施の形態２にかかる記録装置２０１は、本体２０２と、保護対象部の開閉部に設けられる封じ目として機能する貫通孔間に通される吊部２０３とを備える。本体２０２は、一方向のみに回転するギア２０５を備える。またフィルム１０６を固定したプレート２０７を本体２０２に差し込んでいる場合に、フィルム１０６を視認することができる視認用窓２０８を備える。また、吊部２０３は、右端部がギア２０５の回転軸の内部に通されている。この吊部２０３は、記録装置２０１がフィルム１０６への記録を行った後に左端部が本体２０２から外れて封じ目を開封し、保護対象の開閉部の開動作を許容するアクセス手段として機能する。また、ギア２０５とプレート２０７とは、実施の形態１と同様に痕跡付与手段として機能する。
【００４９】
そして、図１２に示すように、プレート２０７はギア２０５に対応した凹部を備えている。プレート２０７が差し込まれると、この凹部にギア２０５が上方に移動しないように固定される。このとき、ギア２０５の回転軸には吊部２０３の右端部が通っているため、吊部２０３も上下方向に移動せず固定される。そして、プレート２０７が本体２０２に差し込まれていないときには、ギア２０５は上方に移動可能となり、吊部２０３の左端部を本体２０２から外すことが可能となる。
【００５０】
つぎに、この記録装置２０１の動作について説明する。図１３は記録装置２０１の斜視図であり、記録装置２０１にプレート２０７を差し込む状態を示す。図１３に示すように、記録装置２０１は、本体２０２の左側面部にプレート差込部２０９を備える。このプレート差込部２０９からプレート２０７を本体２０２に差し込む。プレート２０７は、ギア２０５との咬合部２０７ａを有しており、咬合部２０７ａ上の所定位置にフィルム１０６を固定している。プレート２０７を本体２０２に差し込むと、ギア２０５は上下方向に移動しないよう固定され、吊部２０３の左端部は本体２０２に差し込まれている状態となる。
【００５１】
そして、吊部２０３を本体２０２から外すためプレート２０７を本体２０２から取出す動作について説明する。図１４は記録装置２０１の正面図であり、図１５は記録装置２０１の斜視図である。図１４および図１５は、プレート２０７を本体２０２から取出す際の記録装置２０１の状態を示している。プレート２０７を本体２０２から取出すためには、図１４および図１５に示すようにギア２０５を左方向に回転させる。前述したように、プレート２０７はギア２０５の歯と咬合する咬合部２０７ａを備えている。このため、ギア２０５の回転とともにギア２０５の歯とプレート２０７の咬合部２０７ａが次々に噛み合い、プレート２０７は図１４および図１５に示すように左方向から右方向へ進む。このとき、プレート２０７の咬合部２０７ａ上に固定されるフィルム１０６は、プレート２０７の移動にともない、ギア２０５とプレート２０７の咬合部２０７ａとの間に徐々に挟みこまれていく。ギア２０５の回転を継続すると、プレート２０７は徐々に右方向に移動し、そして、本体２０２から取出すことができる。
【００５２】
つぎに、図１６および図１７を参照し、プレート２０７を本体２０２から取出した状態について説明する。図１６は記録装置２０１の斜視図であり、図１７は記録装置２０１のＡＡ断面図である。図１６および図１７は、プレート２０７を本体２０２から取り出した記録装置２０１を示している。ギア２０５の回転を継続しプレート２０７を本体２０２から取出すと、プレート２０７によるギア２０５の固定は解除される。このため、ギア２０５は、図１６および図１７に示すように下方から上方へ移動することができる。そして、ギア２０５の上方への移動とともに吊部２０３も上方に移動し、図１６に示すように吊部２０３の左端部を本体２０２から取り外すことが可能となる。また、フィルム１０６は、プレート２０７を本体２０２から取出す過程でギア２０５の歯とプレート２０７の咬合部２０７ａ部とに挟み込まれる。この結果、図１６に示すようにフィルム１０６には凹凸が形成される。このように、記録装置２０１は、ギア２０５とプレート２０７とがフィルム１０６に凹凸を形成した後に、吊部２０３の左端部を本体２０２から取り外し封じ目を開封し、保護対象物の開閉部の開動作を許容する。
【００５３】
そして、フィルム１０６の状態の変化は、本体２０２に備えられる視認用窓２０８を介して視認できる。視認用窓２０８を介してフィルム１０６に所定の模様が認められた場合には、吊部２０３の取り外しがなかったこととなる。しかし、フィルム１０６にギア２０５とプレート２０７とが形成した凹凸が視認できる場合には、少なくとも一度プレート２０７を取り出して吊部２０３を本体２０２から取り外した後、再度プレート２０７を本体に２０２に差し込み、吊部２０３を本体２０２に固定しているものと考えられる。このように、保護対象物の開閉部の開動作の記録を外部から簡易に確認することができる。
【００５４】
また、記録装置２０１は、アクセスの対象となる容器等の封じ目に吊部２０３を通し、プレート２０７を本体２０２に差し込むことによって、吊部２０３を本体２０２に固定する。このため、記録装置２０１を構成するギア２０５等を保護対象である容器に備え付ける必要がなく、容器の形状を変化させる必要もない。したがって、この記録装置２０１は、封じ目として機能する貫通孔間に吊部２０３を通して、保護対象部の開閉部の開動作を記録する必要があるものに対して広く使用することができる。また、記録装置２０１は、ギア２０５を複数備える必要もないため小型化を図ることが可能である。
【００５５】
なお、プレート２０７の脱着によって吊部２０３の左端部を本体２０２から取り外す記録装置について説明したが、これに限らず、図１８に示すように、プレート２１７の移動を抑制する抑制手段である鍵２２０を備えた記録装置２１１としてもよい。この記録装置２１１では、鍵２２０を廻旋すると、プレート２１７を固定するプレート固定部２１９が下方に移動し、プレート２１７の移動が可能となる。そして、ギア２０５を回転させてプレート２１７を取出す。この場合、プレート２１７には、プレート固定部２１９が差込まれる箇所を備えている必要がある。この記録装置２１１によれば、保護対象物へのアクセス可能状態を記録するとともに、保護対象への接触を抑止することが可能となる。
【００５６】
また、図１９に示すように、本体２２２に錠前の吊部２２３が貫通する貫通孔を設けた記録装置２２１としてもよい。この場合、図２０に示すように、本体２２２に吊部２２３が通る貫通孔２３１ａ，２３１ｂを設けるとともに、プレート２２７に貫通孔２２７ｂを設ける。吊部２０３を封じ目である貫通孔に通した後、吊部２０３を本体２２２に差込み、ギア２０５の位置を下方に移動させて、プレート２２７をプレート差込部２０９から差し込む。そして、吊部２２３を貫通孔２３１ａ，２２７ｂ，２３１ｂに通し、錠前本体２２９に取り付け、鍵２３０を用いて錠前本体２２９を施錠し封印する。一方、吊部２０３を本体２２２から取り外し封じ目を開封するためには、鍵２３０を廻旋し吊部２２３を貫通孔２３１ａ，２２７ｂ，２３１ｂから抜き出した後に、ギア２０５を回転させてプレート２２７を本体２２２から取出す。このとき、プレート２２７上に固定されたフィルム１０６には、ギア２０５とプレート２２７との咬合部２２７ａとに挟み込まれ、凹凸が形成される。この記録装置２２１によれば、アクセス可能状態の記録とともに、保護対象へのアクセスを防止することが可能となる。
【００５７】
（実施の形態３）
つぎに、この発明の実施の形態３について説明する。上述した実施の形態１，２では、保護対象物へのアクセスが可能となる状態の有無を記録する記録装置について説明したが、この実施の形態３では、保護対象物へのアクセスと連動してアクセス事実の記録を行う記録装置に対して説明する。
【００５８】
まず、実施の形態３にかかる記録装置の構造について説明する。図２１は、実施の形態３にかかる記録装置の平面図である。また、図２２は、実施の形態３にかかる記録装置の斜視図である。実施の形態３にかかる記録装置３０１は、一方向のみに回転するギア３０５と、視認用窓３０８とを備えた本体３０２を有する。また、本体３０２にはプレート３０７が差し込まれている。実施の形態１および実施の形態２と同様にプレート３０７はギア３０５との咬合部を備える。またプレート３０７の所定位置にはフィルム１０６が固定されており、視認用窓３０８を介して、フィルム１０６の状態を視認することが可能である。
【００５９】
そして、プレート３０７を本体３０２から取り外した状態の記録装置３０１について説明する。図２３に示すように、記録装置３０１はプレート３０７の下方にスイッチ３０９を備える。スイッチ３０９は、プレート３０７が本体３０２に差し込まれている際にはプレート３０７によって押され、スイッチ３０９に接続する装置等の動作をロックする。また、スイッチ３０９は、プレート３０７を本体３０２から取り出した場合、上方に押し上げられロックを解除する。なお、プレート３０７は、本体３０２の左側面に設けられたプレート差込部３０６から本体に差し込む。
【００６０】
つぎに記録装置３０１の記録動作について説明する。まず、図２３に示すプレート差込部３０６からプレート３０７を差し込む。プレート３０７上の所定位置にはフィルム１０６が固定される。そして、スイッチ３０９はプレート３０７に押され、接続する装置等の動作をロックする。この場合、視認用窓３０８を介してフィルム１０６の状態を視認することができる。
【００６１】
そして、スイッチ３０９を押し上げロックを解除するためには、スイッチ３０９の上方に位置するプレート３０７をスイッチ３０９上から移動する必要がある。このプレート３０７を移動するために、プレート３０７の咬合部と噛み合うギア３０５を回転させる。図２４に記録装置３０１の平面図を示し、図２５に図２１に示す記録装置３０１のＢＢ断面図を示す。図２４および図２５は、記録装置３０１の動作を説明するための図である。図２４および図２５に示すように、ギア３０５を左方向に回転させてギア３０５の歯とプレート３０７の咬合部３０７ａを次々に噛みあわせ、プレート３０７を右方向に移動する。そして、プレート３０７は、図２５に示すようにギア３０５の回転を継続するとスイッチ３０９上を徐々に右方向に移動し、そして、図２６に示すように本体３０２から取出される。このため、プレート３０７によってスイッチ３０９に上から加えられていた圧力が、解消され、スイッチ３０９は下部に設けられたバネ力によって押し上げられる。すると、ロックが解除される。
【００６２】
また、図２７に示すように、フィルム１０６は、ギア３０５とプレート３０７とに挟み込まれて凹凸が形成される。このため、ロックを解除した後にプレート３０７を再度本体３０２に差し込んだ場合、視認用窓３０８を介して、フィルム１０６にギア３０５とプレート３０７とが形成した凹凸があることを視認できる。この結果、少なくとも一度スイッチ３０９を押し上げロックを解除したことを確認することができる。
【００６３】
本実施の形態にかかる記録装置は、フィルム１０６への形状を変化させる記録動作とスイッチ３０９のロック解除とが連動して行われる。このため、フィルム１０６の状態を確認することによって、スイッチ３０９へのアクセス事実の有無を確認することができる。また、フィルム１０６の確認は、視認用窓３０８を介して行うため、記録装置３０１の外部から簡易に確認を行うことが可能である。
【００６４】
なお、記録装置３０１ではプレート３０７を本体３０２から取出す際にスイッチ３０９が上方に押し上げられロックが解除されるとして説明したが、これに限らず、スイッチ３０９を押しボタン形式のスイッチとしてもよい。この場合、プレート３０７を本体３０２から取り出しギア３０５とプレート３０７とがフィルム１０６に凹凸を形成した後に、プレート３０７に覆われていた押しボタン形式のスイッチを押しロックを解除する。また、押しボタン形式のスイッチに限らず、鍵穴を備えてもよい。この場合、プレート３０７を取り出した後に、鍵穴に鍵を差し込むことができる。なお、視認用窓３０８部を介して、スイッチまたは鍵穴に接触する。
【００６５】
また、上述した記録装置３０１に限らず、図２８に示す記録装置３１１としてもよい。図２８は、記録装置３１１の平面図である。記録装置３１１は、プレート３０７の移動経路にスイッチ３１９とスイッチ３１９を覆うスイッチカバー３２０とを備えた構造を有する。この記録装置３１１は、フィルム１０６に凹凸を形成しながら、スイッチ３１９を押している。
【００６６】
つぎに、記録装置３１１の要部を説明する。図２９は、記録装置３１１の要部を示した斜視図である。図２９は、プレート３０７と、ギア３０５と、押されることによってロックを解除するスイッチ３１９と、スイッチカバー３２０とを示している。プレート３０７上にはフィルム１０６が固定され、プレート３０７の咬合部３０７ａの一部とギア３０５の歯は噛み合った状態にある。そして、ギア３０５の回転とともにギア３０５の歯とプレート３０７の咬合部３０７ａとが次々に噛み合い、図３０に示すように、プレート３０７は、スイッチカバー３２０を押し下げながら右方向に移動する。そして、図３１に示すように、プレート３０７がスイッチカバー３２０上に移動したとき、スイッチカバー３２０はスイッチ３１９を完全に下方に押し、ロックを解除する。一方、フィルム１０６はギア３０５とプレート３０７の咬合部３０７ａとに挟み込まれて凹凸が形成される。このため、プレート３０７を本体３０２から取り外してスイッチ３１９を押し、再度プレート３０７を本体３１２に差し込んだ場合であっても、視認用窓３０８を介してフィルム１０６の状態の変化を視認することが可能である。
【００６７】
また、記録装置３０１，３１１に限らず、図３２に示す記録装置３３１としてもよい。記録装置３３１は、ギア３０５、視認用窓３０８のほかに、プレート３０７の移動経路に接続部３３３ａと接続部３３３ｂとを備える。
【００６８】
つぎに、記録装置３３１の要部について説明する。図３３は、記録装置３２１の要部の斜視図である。図３３は、記録装置３３１のプレート３０７とギア３０５と接続部３３３ａと接続部３３３ｂとを示している。接続部３３３ａは検出器３３５に接続し、接続部３３３ｂは電源３３４に接続する。そして、接続部３３３ａと接続部３３３ｂとが導通することによって、検出器３３５は電源３３４と接続し動作が可能となる。プレート３０７は裏面に導電部３３９を備え、この導電部３３９はプレート３０７が接続部３３３ａ，３３３ｂ上に移動した際に、接続部３３３ａと接続部３３３ｂとを導通させる。
【００６９】
記録装置３３１は、ギア３０５を回転することによって、ギア３０５の歯とプレート３０７の咬合部３０７ａとが次々に噛み合い、プレート３０７を右方向に移動する。プレート３０７が図３４および図３５に示すように、接続部３３３ａ，３３３ｂ上に移動すると、プレート３０７の裏面に備えられた導電部３３９が接続部３３３ａと接続部３３３ｂとに接触し、接続部３３３ａと接続部３３３ｂとを導通させる。そして、接続部３３３ａに接続する検出器３３５が電源３３４と導通し、検出器３３５が動作可能となる。一方、プレート３０７上に固定されるフィルム１０６は、ギア３０５とプレート３０７の咬合部３０７ａとの間に挟み込まれて、凹凸を形成される。このため、プレート３０７を本体３３２から取り出した後に、再度本体３３２に差し込んだ場合であっても、視認用窓３０８を介してフィルム１０６の状態の変化を視認することが可能である。
【００７０】
また、スイッチ３０９，３１９は、スイッチ３０９，３１９に接続する装置等の動作をロックする機能を備えると説明したが、たとえば、パーソナルコンピューター等の端末装置の動作をロックするとしてもよい。そして、スイッチ３０９，３１９のロックが解除され端末装置の電源が入り、端末装置に接続するサーバー上のデータベースに格納されるデータにアクセスすることができるとしてもよい。また、記録装置３３１では、プレート３０７が移動することによって検出器３３５が動作可能となるとしたが、検出器３３５に限らず、パーソナルコンピューター等の端末装置が動作可能となるとしてもよい。そして、端末装置の電源が入り、端末装置に接続するサーバー上のデータベースに格納されるデータにアクセスすることができるとしてもよい。このように、実施の形態３にかかる記録装置は、データベースに格納されるデータ等の情報へのアクセスに対する記録を残す記録装置としてもよい。
【産業上の利用可能性】
【００７１】
以上のように、本発明にかかる記録装置は、保護対象物へのアクセスの痕跡を記録する記録装置に有用であり、特に、保護対象物にアクセスすることなく外部から簡易に記録を確認することができるため、外部から記録の確認を行わなければならない場合に適している。
【図面の簡単な説明】
【００７２】
【図１】本発明の実施の形態１にかかる記録装置を容器に配置した状態を示す斜視図である。
【図２】実施の形態１にかかる記録装置の要部の平面図である。
【図３】実施の形態１にかかる記録装置の要部の右側面図である。
【図４】実施の形態１にかかる記録装置の要部の平面図である。
【図５】実施の形態１にかかる記録装置の要部の平面図である。
【図６】実施の形態１にかかる記録装置におけるフィルムの確認を説明するための図である。
【図７】実施の形態１の他の例である記録装置の要部の平面図である。
【図８】実施の形態１の他の例である記録装置における記録の確認を説明するための図である。
【図９】実施の形態１の他の例である記録装置と容器との要部を斜めから見た断面図である。
【図１０】実施の形態１の他の例である記録装置における要部の動作を説明するための図である。
【図１１】実施の形態２にかかる記録装置の正面図である。
【図１２】図１１に示す記録装置のＡＡ断面図である。
【図１３】実施の形態２にかかる記録装置の斜視図である。
【図１４】実施の形態２にかかる記録装置の正面図である。
【図１５】実施の形態２にかかる記録装置の斜視図である。
【図１６】実施の形態２にかかる記録装置の斜視図である。
【図１７】実施の形態２にかかる記録装置のＡＡ断面図である。
【図１８】実施の形態２の他の例である記録装置の正面図である。
【図１９】実施の形態２の他の例である記録装置の斜視図である。
【図２０】実施の形態２の他の例である記録装置の説明図である。
【図２１】実施の形態３にかかる記録装置の平面図である。
【図２２】実施の形態３にかかる記録装置の斜視図である。
【図２３】実施の形態３にかかる記録装置の斜視図である。
【図２４】実施の形態３にかかる記録装置の平面図である。
【図２５】実施の形態３にかかる記録装置の動作を説明するための図である。
【図２６】実施の形態３にかかる記録装置の動作を説明するための図である。
【図２７】実施の形態３にかかる記録装置の動作を説明するための図である。
【図２８】実施の形態３の他の例である記録装置の平面図である。
【図２９】実施の形態３の他の例である記録装置における要部の斜視図である。
【図３０】図２９に示す要部の動作を説明するための図である。
【図３１】図２９に示す要部の動作を説明するための図である。
【図３２】実施の形態３にかかる記録装置の他の例の平面図である。
【図３３】図３２に示す記録装置における要部の斜視図である。
【図３４】図３３に示す要部の動作を説明するための斜視図である。
【図３５】図３３に示す要部の動作を説明するための図である。
【図３６】従来における封印物への接触記録方法を説明する図である。
【符号の説明】
【００７３】
２  容器
３  取り出し口
１００、１２０、２０１、２１１、２２１、３０１、３１１、３３１  記録装置
１０１、１１１、１２１  蓋
１０４ａ  駆動用ギア
１０４ｂ、１０４ｃ、１０４ｄ、１２５、２０５、３０５  ギア
１０５  破壊用ギア
１０６  フィルム
１０７、２０７、２１７、２２７、３０７  プレート
１０７ａ、２０７ａ、２２７ａ、３０７ａ  咬合部
１０８、２０８、３０８  視認用窓
１１６  情報媒体
１１８  リーダライタ
１２９  支柱
２０２、２１２、２２２、３０２、３１２、３３２  本体
２０３、２２３  吊部
２０９、３０６  プレート差込部
２１９  プレート固定部
２２０、２３０  鍵
２２９  錠前本体
２３１ａ、２３１ｂ、２２７ｂ  貫通孔
３０９、３１９  スイッチ
３２０  スイッチカバー
３３３ａ、３３３ｂ  接続部
３３４  電源
３３５  検出器
３３９  導電部
５０２  容器
５０３  蓋
５０６  フィルム
【図１】
2005037840.tif 000003
【図２】
2005037840.tif 000004
【図３】
2005037840.tif 000005
【図４】
2005037840.tif 000006
【図５】
2005037840.tif 000007
【図６】
2005037840.tif 000008
【図７】
2005037840.tif 000009
【図８】
2005037840.tif 000010
【図９】
2005037840.tif 000011
【図１０】
2005037840.tif 000012
【図１１】
2005037840.tif 000013
【図１２】
2005037840.tif 000014
【図１３】
2005037840.tif 000015
【図１４】
2005037840.tif 000016
【図１５】
2005037840.tif 000017
【図１６】
2005037840.tif 000018
【図１７】
2005037840.tif 000019
【図１８】
2005037840.tif 000020
【図１９】
2005037840.tif 000021
【図２０】
2005037840.tif 000022
【図２１】
2005037840.tif 000023
【図２２】
2005037840.tif 000024
【図２３】
2005037840.tif 000025
【図２４】
2005037840.tif 000026
【図２５】
2005037840.tif 000027
【図２６】
2005037840.tif 000028
【図２７】
2005037840.tif 000029
【図２８】
2005037840.tif 000030
【図２９】
2005037840.tif 000031
【図３０】
2005037840.tif 000032
【図３１】
2005037840.tif 000033
【図３２】
2005037840.tif 000034
【図３３】
2005037840.tif 000035
【図３４】
2005037840.tif 000036
【図３５】
2005037840.tif 000037
【図３６】
2005037840.tif 000038